(57)【要約】【課題】光ディスク装置において、ターンテーブルの下面にテーパを形成することなく光ディスクを矯正変形する。【解決手段】光ディスク１４はディスクトレー１６に収納されるとクランパ２６により上動され、上側に設けられたターンテーブル２４の下面に圧着される。ターンテーブル２４の下面には、１２ｃｍ光ディスクの外縁が当接する環状突起と、８ｃｍ光ディスクの外縁が当接する環状突起が形成され、さらに環状突起には空気孔としての溝が所定位置に形成される。光ディスク１４圧着時に環状突起により光ディスク１４を断面形状傘状に矯正し、溝により光ディスク１４駆動後の離脱を容易化する。【選択図】図１
2005116108.tif 000002
【特許請求の範囲】
【請求項１】
ターンテーブルをその下面で光ディスクのレーベル面を支持するように上側に配置し、かつクランパを上動して前記光ディスクの記録面側の中央部を圧着するように下側に配置してなる光ディスク装置であって、
前記ターンテーブルの前記下面には、
第１の半径を有する前記光ディスクの外縁が当接する位置に形成された第１の環状突起と、
前記第１の半径より小さい第２の半径を有する前記光ディスクの外縁が当接する位置に形成された第２の環状突起と、
を有し、前記第１の環状突起は、前記第２の環状突起よりも高く突出する
ことを特徴とする光ディスク装置。
【請求項２】
請求項１記載の装置において、
前記第１の環状突起及び第２の環状突起には、前記ターンテーブルの所定中心角毎に所定幅の溝が形成される
ことを特徴とする光ディスク装置。
【請求項３】
請求項２記載の装置において、
前記溝内に前記ターンテーブルを貫通する傾角調整用の孔が設けられる
ことを特徴とする光ディスク装置。
【請求項４】
請求項３記載の光ディスク装置を用いた傾角計測方法であって、
前記ターンテーブルの上面側に設けられた照射装置から前記傾角調整用の孔を通過してレーザ光を照射し、
前記レーザ光を前記環状突起に装着されたミラーディスクで反射させ、
前記ミラーディスクで反射したレーザ光の光軸を、前記光ディスク装置の基準面で反射したレーザ光の光軸と比較することにより前記基準面に対する前記ターンテーブルの傾きを検出する
ことを特徴とする傾角計測方法。
【発明の詳細な説明】
【技術分野】
【０００１】
本発明は光ディスク装置、特に光ディスクを回転自在に支持するターンテーブルの構造に関する。
【背景技術】
【０００２】
従来より、光ディスクの振動を極力抑え、高品質でのデータの記録或いは再生を可能とする光ディスク装置の回転支持機構が提案されている。
【０００３】
例えば、下記に示す従来技術では、ターンテーブルを上側に配置してターンテーブルの下面で光ディスクのレーベル面を支持するようにし、クランパを上動させて光ディスクの中央部を圧着して光ディスクを回転自在に支持する構成が開示されている。
【０００４】
一方、光ディスクは通常樹脂成形されているため、温度や湿度などの外部環境により反りが生じる。反り量は、光ディスクの規格においてその許容範囲が定められているが、許容範囲内においても反り量にはばらつきが生じており、さらに種々のメーカから光ディスクが市場に供給されている現状においては、反り量が許容範囲を超えている光ディスクも少なからず存在する。このような光ディスクをクランパの圧着によりターンテーブルに回転自在に支持する場合、その反り量に起因して光ピックアップからのレーザ光の光軸と光ディスク面の法線軸とにずれが生じ、記録再生特性に悪影響を及ぼす。
【０００５】
そこで、従来より、ターンテーブルの下面、すなわち光ディスクのレーベル面を支持する面に微小なテーパを中心から外縁に向けて形成し、断面を略傘状の凹面形状として、その凹面形状に光ディスクを押圧することが行われている。上動するクランパによってターンテーブルの凹面形状に光ディスクの中央部を押圧することにより、光ディスクを凹面形状に沿った一定形状に矯正し、個々の光ディスクの反りを矯正する。レーザ光の光軸、すなわちレーザ光を射出する光ピックアップの光軸をこの矯正形状に合致するように傾き調整することで、レーザ光を光ディスク面に略垂直に照射して情報の記録又は再生を行うことができる。
【０００６】
【特許文献１】実公平４−２２４３７号公報
【発明の開示】
【発明が解決しようとする課題】
【０００７】
しかしながら、ターンテーブルの下面に微小なテーパを形成して光ディスクの形状を矯正する構成では、ターンテーブルの下面のテーパ加工が必要となり、切削加工機は基本的に水平あるいは垂直加工を基本としているためその加工が困難で、精度を確保することが難しくコストも増大してしまう。
【０００８】
また、ターンテーブルの下面に光ディスクのレーベル面全面を押着するため、例えば光ディスクのレーベル面にラベル等を貼り付けている場合、ラベル接着用の糊がはみ出て光ディスクがターンテーブル下面に張り付いてしまう場合がある。
【０００９】
また、ターンテーブルと光ディスクとの間が真空状態に近くなり光ディスクがターンテーブルに張り付いてしまうことを防止するためにターンテーブルに空気用の孔を設ける構成も提案されているが、この孔は風切り音の原因となり、特にＤＶＤにおいてはターンテーブルを高速回転するため風切音が一層高くなる問題がある。
【００１０】
さらに、レーザ光の光軸を光ディスク面に対して略垂直とするためにレーザ光の光軸調整、すなわち光ピックアップの光軸調整が必要となるが、ターンテーブルの下面にテーパが形成されていると、光軸調整用のガラス製ミラーディスクをターンテーブル下面に装着することができず、このためミラーディスクを用いた光軸の微調整ができない問題もあった。
【００１１】
本発明の目的は、ターンテーブルの下面に微小なテーパを形成することなく光ディスクの形状矯正（反りの矯正）が可能な光ディスク装置を提供することにあり、また、光軸の微調整を可能とする光ディスク装置を提供することにある。
【課題を解決するための手段】
【００１２】
本発明は、ターンテーブルをその下面で光ディスクのレーベル面を支持するように上側に配置し、かつクランパを上動して前記光ディスクの記録面側の中央部を圧着するように下側に配置してなる光ディスク装置であって、前記ターンテーブルの前記下面には、第１の半径を有する前記光ディスクの外縁が当接する位置に形成された第１の環状突起と、前記第１の半径より小さい第２の半径を有する前記光ディスクの外縁が当接する位置に形成された第２の環状突起とを有し、前記第１の環状突起は、前記第２の環状突起よりも高く突出することを特徴とする。
【００１３】
第１の半径（例えば１２ｃｍ）を有する光ディスクは、クランパによりターンテーブル下面に圧着された場合に、その外縁部が第１の環状突起に当接する。一方、光ディスクの中央部はテーパが形成されていないターンテーブルの下面に当接するから、光ディスクは断面形状が傘状となるように矯正変形される。これにより、個々の光ディスクの有する反りが矯正される。また、第２の半径（例えば８ｃｍ）を有する光ディスクは、クランパによりターンテーブル下面に圧着された場合に、その外縁が第２の環状突起に当接し、同様にして断面形状が傘状となるように矯正変形される。
【００１４】
本発明において、前記第１の環状突起及び第２の環状突起には、前記ターンテーブルの所定中心角毎に所定幅の溝が形成されることが好適である。この溝により、光ディスクと環状突起との間に間隙を形成し、空気の流入を可能として圧着後（記録／再生後）の光ディスクのターンテーブルからの離脱を容易化する。また、ターンテーブル下面に形成するのではなく、環状突起の溝として形成するため、光ディスクを回転駆動する際の風切音の発生が抑制される。
【００１５】
また、本発明において、前記溝内に前記ターンテーブルを貫通する傾角調整用の孔を設けることが好適である。この孔を介してレーザ光をターンテーブルの上面から下面に向けて照射することが可能となり、溝を渡すように設けられたミラーディスクにレーザ光を照射させ、その反射光を受光することが可能となる。反射レーザ光はターンテーブルの傾角を反映したものとなり、例えば基準面に対する反射レーザ光と比較することで、基準面に対するターンテーブルの傾角が計測され得る。
【発明を実施するための最良の形態】
【００１６】
以下、図面に基づき本発明の実施形態について説明する。
【００１７】
図１には、本実施形態における光ディスク装置１０の構成が示されている。情報記録媒体である光ディスク１４は、例えば、情報の記録あるいは再生が可能なＣＤやＤＶＤ等であり、光ディスク装置１０のハウジング（不図示）の内外を出入りするディスクトレー１６の収納位置１６ａに載置された状態で、光ピックアップ１２の動作領域に搬送される。光ピックアップ１２は、ハウジングに固定された基台１８上に載置されたピックアップベース２０に支持され、動作領域に搬送されてきた光ディスク１４の半径方向に移動しながら、情報の記録または再生を行う。情報の再生は、光ピックアップ１２内のレーザダイオード（ＬＤ）を駆動して再生パワーのレーザ光を光ディスク１４に向けて照射し、その反射光を光ピックアップ１２内のフォトディテクタで受光し、電気信号に変換して行われる。情報の記録は、記録すべきデータで変調した記録パワーのレーザ光を光ディスク１４に照射し、光ディスク１４の記録膜にピットを形成し、あるいは結晶状態を変化させて行われる。
【００１８】
光ディスク１４は、光ピックアップ１２の動作領域において、高速で回転することにより情報の記録／再生が行われる。このため、高速回転するターンテーブル上に固定される必要がある。一般的な光ディスク装置においては、光ピックアップ等が配置されるピックアップベース上にターンテーブルが設けられているが、本実施形態においては、図１に示すように、アーチ型のブラケット２２に回転自在にターンテーブル２４が下向きに軸支されている。光ディスク１４から見ると、ターンテーブル２４は上側に配置されることになる。ブラケット２２の上にはモータ（不図示）が固定され、ターンテーブル２４を安定的に高速回転させている。
【００１９】
一方、基台１８上には、光ディスク１４をターンテーブル２４の底面側に押圧固定するクランパ２６を昇降させるための昇降機構２８が配置されている。クランパ２６は、ピックアップベース２０を貫通するシャフト２６ａにより支持され、ピックアップベース２０の挙動とは全く分離した状態で昇降動作を行い、ディスクトレー１６により搬送されてきた光ディスク１４をターンテーブル２４に固定する。
【００２０】
クランパ２６の上面とターンテーブル２４の裏面中央部には、例えばマグネットがそれぞれ配置され、光ディスク１４は一対のマグネットにより強固に挟持され、安定した高速回転ができるようになっている。なお、本実施形態においては、高速回転するターンテーブル２４は、光ピックアップ１２が支持されているピックアップベース２０と実質的に分離されているので、ターンテーブル２４を回転させるモータ等の振動が光ピックアップ１２に直接伝達されることはなく、ターンテーブル２４の回転が光ピックアップ１２の検出ノイズになることを防止できる。
【００２１】
光ピックアップ１２は、光ディスク１４の半径方向にシークしながら情報の記録／再生を行うため、ピックアップベース２０上で、例えば、ガイドバー（あるいはガイドレール）３０（１本のみ図示しているが、互いに平行する一対２本のガイドバーが好適である）に沿って、ラックピニオン機構等の駆動機構により移動する。この時、光ピックアップ１２の光軸は、ターンテーブル２４に支持され回転する光ディスク１４の面法線と一致するように配置されなければならない。この光軸と面法線が一致しない場合、記録／再生時の時間軸方向の変動成分（ジッタ）の原因となり、光ディスク装置１０の性能低下の原因になる。
【００２２】
ところが、光ピックアップ１２はガイドバー３０やピックアップベース２０に機械的に係合している。そのため、各部品の加工精度や組み立て精度により、前記光軸と法線が傾いてしまう。また、光ディスク１４自体が反っていたり、光ピックアップ１２自身の光軸の傾き等がある。このような様々な要因により、個々の光ディスク装置１０で光軸と法線が一致しないことが多いため、光ディスク装置１０は、組み立て後、または組み立て途中で、個体毎に光軸と法線の調整が必要になる。この場合、光軸と法線の両者間の傾きは、光ディスク半径方向の傾きと、光ディスク接線方向の傾き及びその合成方向の傾きとなる。本実施形態においては、これらの傾きを補正し光軸と法線を容易に一致させるために、可撓性の板状部材と一対の調整部材を設けている。この時、一対の調整部材３４の調整のみで、傾き補正を実現している。
【００２３】
本実施形態において、具体的には、可撓性の板状部材として、板状のバネ部材３２でピックアップベース２０の一端を支持し、他端を一対の調整部材としてネジ部材３４で基台１８に対して垂直方向に移動可能に固定している。一対のネジ部材３４のいずれか一方を回すか、両者を互いに逆方向に回すことで、ピックアップベース２０は板バネ部材３２の捻れにより図中矢印Ａ方向（光ピックアップ１２の移動方向に直向する光ディスク接線方向あるいはタンジェンシャル方向）に傾き、光軸が調整される。一対のネジ部材３４を同じ方向に同じ量だけ回せば、ピックアップベース２０は板バネ部材３２の撓みにより図中矢印Ｂ方向（光ピックアップ１２の移動方向に平行な光ディスク半径方向あるいはラジアル方向）に傾き、光軸が調整される。
【００２４】
また、本実施形態において、ターンテーブル２４の下面、すなわち光ディスク１４のレーベル面を支持する面は、従来のようにテーパは形成されておらず、平坦面である。但し、平坦面の所定位置に環状の突起が形成される。この環状突起は、光ディスク１４が上動するクランパ２６によりターンテーブル２４の下面に押圧されたときにその外縁部が当接する位置に形成される。光ディスク１４には、大きさの異なる複数種類の光ディスク１４（例えば１２ｃｍ光ディスクと８ｃｍ光ディスク）が存在するため、環状突起も光ディスク１４の種類毎に形成されるのが望ましい。すなわち、１２ｃｍ光ディスクの外縁が当接する位置、及び８ｃｍ光ディスクの外縁が当接する位置にそれぞれ形成されるのが望ましい。
【００２５】
１２ｃｍ光ディスクを例にとると、光ディスク１４は上動するクランパ２６によりターンテーブル２４の下面に押圧される。光ディスク１４の中央部及び内周部はターンテーブル２４の下面に当接し、光ディスク１４の外縁部は環状突起に当接する。したがって、光ディスク１４は、断面形状が傘状の凹面形状となってターンテーブル２４に押圧され、ターンテーブル２４の回転によりこの形状を維持したまま回転することになる。
【００２６】
図２には、ターンテーブル２４の下面側の平面図が示されており、図３には、図２におけるＡ−Ａ断面図が示されている。ターンテーブル２４の下面には、第１の環状突起２４ａ及び第２の環状突起２４ｂが形成される。第１の環状突起２４ａはターンテーブルの外縁部に形成され、１２ｃｍ光ディスクの外縁が当接する。第２の環状突起２４ｂは第１の環状突起２４ａよりも内周側に形成され、８ｃｍ光ディスクの外縁が当接する。第１の環状突起２４ａは第２の環状突起２４ｂよりも高く形成され、例えば第１の環状突起２４ａの高さ＝１．５ｍｍ、第２の環状突起２４ｂの高さ＝０．７ｍｍに設定される。第２の環状突起２４ｂの高さは、１２ｃｍ光ディスクがターンテーブル２４の下面にクランパ２６により押圧された場合に１２ｃｍ光ディスクのレーベル面が当接する高さに設定してもよい。
【００２７】
第１の環状突起２４ａには、所定位置例えば図に示すように中心角が９０°をなす４回対称位置に第１の溝２４ｄが４個形成される。この第１の溝２４ｄは、１２ｃｍ光ディスク１４が第１の環状突起２４ａに当接したときに、光ディスク１４と第１の環状突起２４ａとの間に間隙を形成し、これにより空気の出入りを可能として光ディスク１４がターンテーブル２４の下面に接着してしまう事態を防ぐ空気孔として機能する。従来のターンテーブルにおいても、空気孔は形成されていたが、従来の空気孔はターンテーブルを貫通する開口によって形成されていたため、真空状態を防止するためにある程度の開口面積が必要であり、このため光ディスク１４を高速回転させる際には大きな風切音が発生する原因となっていたが、本実施形態では環状突起２４ａに形成される溝２４ｄを空気孔としているため、下面に直接開口を形成する場合に比べ、風切音を抑制することができる。なお、第１の溝２４ｄの数は任意であるが、ターンテーブル２４の回転中心を中心とした対称位置に複数個形成することがターンテーブル２４の偏重心による回転アンバランスの抑制の観点から好ましい。
【００２８】
同様に、第２の環状突起２４ｂにも、中心角が９０°をなす４回対称位置に第２の溝２４ｃが４個形成されている。この第２の溝２４ｃは、８ｃｍ光ディスク１４を第２の環状突起２４ｂに当接したときの空気孔として機能するものである。図において、第２の溝２４ｃは、ターンテーブル２４の回転中心から見て第１の溝２４ｄと同一放射線上に位置するように配置される。これは、１２ｃｍ光ディスクを装着した場合に、空気の通り道が直線上となるようにしたものである。第１の溝２４ｄ及び第２の溝２４ｃの溝幅は任意であるが、例えば２ｍｍ程度としてもよい。
【００２９】
また、ターンテーブル２４の第２の環状突起２４ｂの内側には、複数の開口２４ｅが設けられている。この開口２４ｅは、ターンテーブル２４の回転バランス調整用のウェイトを装着するための穴（ネジ穴）である。
【００３０】
図４には、１２ｃｍ光ディスク１４をディスクトレー１６の収納位置１６ａに収納し、上動クランパ２６で光ディスク１４をターンテーブル２４の下面に押圧したときの状態が示されている。また、図５には、８ｃｍ光ディスク１４の場合が示されている。１２ｃｍ光ディスク１４のレーベル面の外縁は第１の環状突起２４ａに当接し、光ディスク１４の中央部はターンテーブル２４の下面中央に当接する。この結果、光ディスク１４は断面形状傘状に矯正され、個々の光ディスク１４で異なる反りが矯正される。なお、図４では、第２の環状突起２４ｂも光ディスク１４のレーベル面に当接するものとして示してある。
【００３１】
また、図では光ディスク１４の断面形状は傘状となっているが、第１の環状突起２４ａの高さはわずか（１．５ｍｍ）であり、説明の都合上、強調して図示されていることに留意されたい。１２ｃｍ光ディスク１４と第１の環状突起２４ａとの間には第１の溝２４ｄにより間隙が形成され、記録／再生後に光ディスク１４は容易にターンテーブル２４から離脱する。
【００３２】
８ｃｍ光ディスク１４をディスクトレー１６に収納した場合、８ｃｍ光ディスク１４のレーベル面の外縁は第２の環状突起２４ｂに当接し、光ディスク１４の中央部はターンテーブル２４の下面中央に当接する。この結果、光ディスク１４は断面形状傘状に矯正され、反りが矯正される。
【００３３】
このように、本実施形態では、ターンテーブル２４の下面にテーパを形成せず、１２ｃｍ用の環状突起と８ｃｍ用の環状突起を形成することで、光ディスク１４の形状を矯正して反り量のばらつきに伴う光軸のずれ、記録／再生特性の劣化を防止できる。また、環状突起に溝を形成することで、光ディスク１４のターンテーブル２４からの離脱を容易化できる。
【００３４】
本実施形態においては、環状突起２４ａ、２４ｂにより光ディスク１４を矯正しているが、この矯正に応じて光ピックアップ１２の光軸を調整することは言うまでもない。すなわち、環状突起２４ａ、２４ｂの形成位置及び形成高さから、光ディスク１４の矯正形状は一義的に算出されるから、矯正された光ディスク１４の面法線に一致するように一対の調整部材３４を回して光ピックアップ１２の光軸を調整し、ＬＤからのレーザ光が光ディスク１４の面に略垂直に照射されるようにする。
【００３５】
なお、光軸調整する際には、ターンテーブル２４と光ピックアップ１２との傾き自体を計測しておくことが望ましい。従来においては、ターンテーブル２４の下面にはテーパが形成されているため、例えばミラーディスクをターンテーブル２４に装着して傾きを計測する等の方法を用いることができない。本実施形態においても、ターンテーブル２４の下面には環状突起が形成されているものの、環状突起が形成されていない部分、及び環状突起の頂点部分は平坦面であるため、これらの平坦部分を利用することで傾きを計測することが可能である。
【００３６】
以下、本実施形態のターンテーブル２４を用いた傾角（ターンテーブル２４と光ピックアップ１２との傾き）計測方法について説明する。
【００３７】
図６には、ターンテーブル２４の下面側の平面図が示されている。第１の環状突起２４ａ、第２の環状突起２４ｂ、第１の溝２４ｄ、第２の溝２４ｃを有するが、さらに第１の溝２４ｄ内にターンテーブル２４を貫通する開口２４ｆが形成されている。この開口は、集光されたレーザ光が透過するための開口であり、傾角調整用の孔として機能する。開口２４ｆは図示の如く４個の第１の溝２４ｄの全てに形成されていてもよく、いずれかの溝２４ｄのみに形成されていてもよい。第１の環状突起２４ａの幅に略等しい環状ミラーディスクが用意され、環状ミラーディスクは第１の環状突起２４ａに当接して装着される。環状ミラーディスクは、少なくとも開口２４ｆが形成された第１の溝２４ｄを横断するように架け渡し、装着されるものとする。装着の方法は種々考えられるが、取り付け用ネジをミラーディスクに設け、ターンテーブルにネジ穴を設けてもよい。
【００３８】
図７には、傾角計測の方法が示されている。上述したように、環状のミラーディスク１００は第１の環状突起２４ａに装着される。アーチ型ブラケット２２の上方に互いにその相対位置が既知の傾角計測用の送受光器４０、４２が配置され、送受光器４０からのレーザ光はターンテーブル２４のうちアーチ型ブラケット２２で覆われていない部分に入射し、ターンテーブル２４を貫通する開口２４ｆに入射する。開口２４ｆが形成されている第１の溝２４ｄには、環状のミラーディスク１００（図では、環状の一部が示されている）が横架されているから、開口２４ｆに入射したレーザ光はミラーディスクで反射され、送受光器４０に入射する。
【００３９】
一方、送受光器４２からのレーザ光（送受光器４０からのレーザ光に対して平行となるように調整される）は、平行度が出された一対のガイドバーに横架されたミラー１０２に入射し、ミラー１０２で反射して送受光器４２に入射する。２つのレーザ光は平行であるから、送受光器４０、４２における入射光光軸の相違は、ミラーディスク１００とミラー１０２との傾き量に応じたものとなる。また、光ピックアップ１２は一対のガイドバー３０により支持され、光ピックアップ１２のパッケージに固定されたラックをピックアップベース２０側に設けられたピニオンギアの回転により駆動してガイドバー３０に沿って摺動させるものであり、光ピックアップ１２の光軸とガイドバー３０とは一定の関係にあることから、送受光器４０、４２からの入射光光軸を傾角センサ５０に供給し、傾角センサ５０で両入射光光軸の相違を傾角に換算することで、ターンテーブル２４と光ピックアップ１２との傾きを計測することができる。
【００４０】
以上のようにしてターンテーブル２４と光ピックアップ１２との傾角を計測した後、一対の調整部材３４によりこの傾きを補償するようにピックアップベース２０を傾ければよい。
【００４１】
なお、ミラーディスク１００は環状ではなく、環状の一部分のみを利用してもよい。
【００４２】
また、図７において、送受光器４０、４２を別個に設けているが、単一のＬＤ及び２個のフォトディテクタを設け、単一のＬＤからのレーザ光を分光してミラーディスク１００及びミラー１０２に照射し、それぞれの反射光をフォトディテクタで受光する構成としてもよい。傾角調整方法をまとめると、以下のステップとなる。
（１）ミラーディスク１００を第１の環状突起２４ａに装着
（２）一対のガイドバー３０にミラー１０２を設置
（３）互いに平行なレーザ光をミラーディスク１００及びミラー１０２に照射し、その反射光を受光
（４）反射光光軸を比較してターンテーブルの法線軸と光ピックアップの光軸との傾きを検出
（５）ターンテーブルと光ピックアップとの傾きに応じて光ピックアップの光軸を調整
【００４３】
上記の（１）において、第２の溝２４ｃにもターンテーブル２４を貫通する開口が形成されている場合にはミラーディスクを第２の環状突起２４ｂに装着することも可能である。
【００４４】
このように、傾角調整用の孔である開口２４ｆを設けることで、ミラーディスクを用いた傾角計測が可能となり、かつ、ターンテーブル２４の上面側（ブラケット２２側）からのレーザ光照射による傾角計測が可能となる。
【図面の簡単な説明】
【００４５】
【図１】光ディスク装置の構成図である。
【図２】ターンテーブルの平面図である。
【図３】図２のＡ−Ａ断面図である。
【図４】１２ｃｍ光ディスクの矯正変形説明図である。
【図５】８ｃｍ光ディスクの矯正変形説明図である。
【図６】他のターンテーブルの平面図である。
【図７】傾角計測方法を示す説明図である。
【符号の説明】
【００４６】
１０  光ディスク装置、１２  光ピックアップ、１４  光ディスク、１６  ディスクトレー、１８  基台、２０  ピックアップベース、２２  ブラケット、２４  ターンテーブル、２４ａ  第１の環状突起、２４ｂ  第２の環状突起、２４ｃ  第２の溝、２４ｄ  第１の溝、２４ｆ  開口、２６  クランパ、３０  ガイドバー、３２  板バネ部材、３４  ネジ部材（調整部材）。
【図１】
2005116108.tif 000003
【図２】
2005116108.tif 000004
【図３】
2005116108.tif 000005
【図４】
2005116108.tif 000006
【図５】
2005116108.tif 000007
【図６】
2005116108.tif 000008
【図７】
2005116108.tif 000009